(57)【要約】【課題】光学部品を交換したとしても画像の測定を行うことなく光学部品の角度依存性に起因する画質の劣化の防止を図ることができるプロジェクター等を提供する。【解決手段】画像信号に基づいて画像を投射するプロジェクターは、光源部と、前記光源部からの光を複数の色光に分離する色分離部と、各色光を前記画像信号に基づいて変調する光変調部と、前記光源部からの光の分光分布に対応した分光情報、前記色分離部の分光反射率の角度依存性に基づく角度依存性情報、及び前記光変調部の分光変調率に対応した分光情報を用いて算出された面内ムラ補正データに基づいて、前記画像信号に対して面内ムラ補正処理を行う面内ムラ補正部とを含む。【選択図】図１
2010230801.tif 000002
【特許請求の範囲】
【請求項１】
画像信号に基づいて画像を投射するプロジェクターであって、
光源部と、
前記光源部からの光を複数の色光に分離する色分離部と、
各色光を前記画像信号に基づいて変調する光変調部と、
前記光源部からの光の分光分布に対応した分光情報、前記色分離部の分光反射率の角度依存性に基づく角度依存性情報、及び前記光変調部の分光変調率に対応した分光情報を用いて算出された面内ムラ補正データに基づいて、前記画像信号に対して面内ムラ補正処理を行う面内ムラ補正部とを含むことを特徴とするプロジェクター。
【請求項２】
請求項１において、
前記角度依存性情報が、
前記色分離部の前記入射面内の前記複数の位置における分光反射率に対応した分光情報であることを特徴とするプロジェクター。
【請求項３】
請求項１又は２において、
前記面内ムラ補正データが、
前記入射面内の中央部の位置における分光反射率を用いて求められた基準値を基準に算出されることを特徴とするプロジェクター。
【請求項４】
請求項１乃至３のいずれかにおいて、
前記面内ムラ補正データが、第１の面内ムラ補正データと、第２の面内ムラ補正データとからなり、
前記光源部からの光の分光分布に対応した分光情報、前記角度依存性情報、及び前記光変調部の分光変調率に対応した分光情報のうち少なくとも１つが変更されたとき、前記光源部からの光の分光分布に対応した分光情報、前記角度依存性情報、及び前記光変調部の分光変調率に対応した分光情報を用いて前記第１の面内ムラ補正データが更新され、
前記面内ムラ補正部が、
更新後の前記第１の面内ムラ補正データと前記第２の面内ムラ補正データとに基づいて、前記画像信号に対して面内ムラ補正処理を行うことを特徴とするプロジェクター。
【請求項５】
請求項１乃至４のいずれかにおいて、
前記光源部が、
前記光源部からの光の分光分布に対応した分光情報を記憶する光源情報記憶部を含むことを特徴とするプロジェクター。
【請求項６】
請求項１乃至５のいずれかにおいて、
前記色分離部が、
前記角度依存性情報を記憶する色分離情報記憶部を含み、
前記光変調部が、
前記光源部の分光分布に対応した分光情報を記憶する光変調情報記憶部を含むことを特徴とするプロジェクター。
【請求項７】
請求項１乃至６のいずれかにおいて、
算出された前記面内ムラ補正データを記憶する面内ムラ補正データ記憶部を含むことを特徴とするプロジェクター。
【請求項８】
請求項１乃至７のいずれかにおいて、
前記面内ムラ補正データを算出する面内ムラ補正データ算出部を含むことを特徴とするプロジェクター。
【請求項９】
請求項８において、
前記面内ムラ補正データ算出部が、
所与の色空間上の色彩値として算出された基準値に基づいて、前記面内ムラ補正データを算出することを特徴とするプロジェクター。
【請求項１０】
複数の色光を画像信号に基づいて変調して画像を投射するプロジェクターを調整するプロジェクター調整システムであって、
請求項１乃至７のいずれか記載のプロジェクターと、
前記プロジェクターの投射画像を調整する画像調整装置とを含み、
前記画像調整装置は、
前記面内ムラ補正データを算出する面内ムラ補正データ算出部を含むことを特徴とするプロジェクター調整システム。
【請求項１１】
光源部と、
前記光源部からの光を複数の色光に分離する色分離部と、
各色光を画像信号に基づいて変調する光変調部とを含むプロジェクターを調整するプロジェクター調整方法であって、
前記光源部からの光の分光分布に対応した分光情報、前記色分離部の分光反射率の角度依存性に基づく角度依存性情報、及び前記光変調部の分光変調率に対応した分光情報を用いて面内ムラ補正データを算出する面内ムラ補正データ算出ステップと、
前記面内ムラ補正データ算出ステップにおいて算出された前記面内ムラ補正データに基づいて、前記画像信号に対して面内ムラ補正処理を行う面内ムラ補正ステップとを含むことを特徴とするプロジェクター調整方法。
【発明の詳細な説明】
【技術分野】
【０００１】
本発明は、プロジェクター、プロジェクター調整システム及びプロジェクター調整方法等に関する。
【背景技術】
【０００２】
近年、投写型の画像表示装置としてのプロジェクターは、高画質化や低コスト化が進み、種々の場面で使用されるに至っている。そのため、プロジェクターについては、使用される場面に応じた色の再現性や画質が、より一層、重要視されるようになっている。そこで、投射画像の色ムラやプロジェクターの個体差等を考慮して、画質を精度良く向上させることが重要になっている。
【０００３】
このプロジェクターによる投射画像の明るさや色を決める要素として、プロジェクターを構成する光学部品である光源、照明光学系、光変調光学系、及び投射光学系や、画像が投射されるスクリーン等がある。一般的に、プロジェクターは、光学部品（例えば光源）を交換できるように構成されており、光学部品の交換後においても投射画像の画質を維持する必要がある。
【０００４】
このようなプロジェクターの投射画像の画質を調整する場合、この投射画像をマルチバンド測定（マルチバンド撮影）により測定し、その測定結果をプロジェクターに反映させることが行われる。このようなマルチバンド測定については、例えば特許文献１に開示されている。
【０００５】
この特許文献１には、黒信号レベルによるオフセット画像を、複数の原色それぞれに対応するバンドのフィルターを切り替えながら順次マルチバンド測定を行い、プロジェクターの補正データを算出する技術が開示されている。即ち、特許文献１では、撮像側（測定側）であるカメラに、複数の原色それぞれに対応するバンドのフィルターを取り付けることでマルチバンド測定が行われる。
【先行技術文献】
【特許文献】
【０００６】
【特許文献１】特開２００５−２０５８１号公報
【発明の概要】
【発明が解決しようとする課題】
【０００７】
プロジェクターにおいて、例えばランプ（光源）を交換した場合に、ランプが持つ特性のばらつきに起因して、交換後のランプと交換前のランプの明るさや色が変化してしまうことが多い。ここで、ランプの十分な選別によって特性を揃えることは可能であるが、コスト面において現実的ではない。また、例えば非常に狭い帯域のフィルターにランプからの光を通過させることで、色成分の純度を上げることができる。この場合、たとえランプの分光分布が変化しても、投射画像の画質を一定に維持できる。しかしながら、帯域の狭いフィルターの使用によってランプからの光の利用効率が下がり、画像が暗くなるという問題がある。
【０００８】
一方、３板式液晶プロジェクターは、光の利用効率を上げて明るい画像を投射することができる構成を有することで知られており、高画質の投射画像を得やすい。これは、例えばダイクロイックミラーと呼ばれる光学部品により色成分毎に光を分離し、その後、色成分毎に変調して合成することにより実現される。ダイクロイックミラーは、その入射面が光源からの光の軸に対して所与の角度を有するように配置され、入射光の波長に応じて反射や透過させる機能を有する。
【０００９】
ところで、ダイクロイックミラーの透過率には角度依存性がある。具体的に、ダイクロイックミラーの透過率は、入射光の入射角に応じて変化する。しかしながら、ダイクロイックミラーの入射面に入射される光が完全な平行光とならない場合、ダイクロイックミラーの入射面における光の入射角は入射面内において一定とはならない。そのため、これに起因して画面内の位置に応じてムラが発生してしまう場合がある。しかも、このムラは、光源の分光特性等が変わっても変化してしまうという問題がある。そのため、光源等の光学部品の交換作業の度に、例えば特許文献１に開示されたような画像の測定が必要となり、測定に必要な部品の追加によるコスト高や交換作業の煩わしさを招く。
【００１０】
本発明は、以上のような技術的課題に鑑みてなされたものであり、その目的の１つは、光学部品を交換したとしても画像の測定を行うことなく光学部品の角度依存性に起因する画質の劣化の防止を図ることができるプロジェクター、プロジェクター調整システム及びプロジェクター調整方法等を提供することにある。
【課題を解決するための手段】
【００１１】
（１）本発明の一態様は、画像信号に基づいて画像を投射するプロジェクターが、光源部と、前記光源部からの光を複数の色光に分離する色分離部と、各色光を前記画像信号に基づいて変調する光変調部と、前記光源部からの光の分光分布に対応した分光情報、前記色分離部の分光反射率の角度依存性に基づく角度依存性情報、及び前記光変調部の分光変調率に対応した分光情報を用いて算出された面内ムラ補正データに基づいて、前記画像信号に対して面内ムラ補正処理を行う面内ムラ補正部とを含む。
【００１２】
本態様によれば、光源部、色分離部や光変調部を交換した場合であっても、交換後にプロジェクターの投射画像を測定することなく面内ムラ補正テーブルを更新できるので、測定の煩わしさを伴うことなく、色分離部の角度依存性に起因する面内ムラ補正を正確に行うことができるようになる。
【００１３】
（２）本発明の他の態様に係るプロジェクターでは、前記角度依存性情報が、前記色分離部の前記入射面内の前記複数の位置における分光反射率に対応した分光情報である。
【００１４】
本態様によれば、上記の効果に加えて、簡素な処理で、色分離部の角度依存性に起因する面内ムラ補正を正確に行うことができるようになる。
【００１５】
（３）本発明の他の態様に係るプロジェクターでは、前記面内ムラ補正データが、前記入射面内の中央部の位置における分光反射率を用いて求められた基準値を基準に算出される。
【００１６】
本態様によれば、上記の効果に加えて、複雑な処理を行うことなく、面内ムラを補正することができるようになる。
【００１７】
（４）本発明の他の態様に係るプロジェクターでは、前記面内ムラ補正データが、第１の面内ムラ補正データと、第２の面内ムラ補正データとからなり、前記光源部からの光の分光分布に対応した分光情報、前記角度依存性情報、及び前記光変調部の分光変調率に対応した分光情報のうち少なくとも１つが変更されたとき、前記光源部からの光の分光分布に対応した分光情報、前記角度依存性情報、及び前記光変調部の分光変調率に対応した分光情報を用いて前記第１の面内ムラ補正データが更新され、前記面内ムラ補正部が、更新後の前記第１の面内ムラ補正データと前記第２の面内ムラ補正データとに基づいて、前記画像信号に対して面内ムラ補正処理を行う。
【００１８】
本態様によれば、面内ムラ補正データにより面内ムラ補正テーブルの内容を更新したとしても、色分離部の角度依存性に起因した面内ムラのみならず、他の要因に起因した面内ムラも確実に補正できるようになる。
【００１９】
（５）本発明の他の態様に係るプロジェクターでは、前記光源部が、前記光源部からの光の分光分布に対応した分光情報を記憶する光源情報記憶部を含む。
【００２０】
本態様によれば、光源部を交換した場合に、光源部の分光情報を更新する必要がなくなり、交換後の光源部に特有の分光情報を予め光源情報記憶部に記憶させておくだけで済むため、交換に伴う画質調整の作業を省略できるようになる。
【００２１】
（６）本発明の他の態様に係るプロジェクターでは、前記色分離部が、前記角度依存性情報を記憶する色分離情報記憶部を含み、前記光変調部が、前記光源部の分光分布に対応した分光情報を記憶する光変調情報記憶部を含む。
【００２２】
本態様によれば、色分離部や光変調部を交換した場合に、色分離部や光変調部の分光情報を更新する必要がなくなり、交換後の色分離部や光変調部に特有の分光情報を予め色分離情報記憶部や光変調情報記憶部に記憶させておくだけで済むため、交換に伴う画質調整の作業を省略できるようになる。
【００２３】
（７）本発明の他の態様に係るプロジェクターでは、算出された前記面内ムラ補正データを記憶する面内ムラ補正データ記憶部を含む。
【００２４】
本態様によれば、色分離部の角度依存性に起因した画質の劣化を防止できるプロジェクターの小型化及び低コスト化に寄与できるようになる。
【００２５】
（８）本発明の他の態様に係るプロジェクターでは、前記面内ムラ補正データを算出する面内ムラ補正データ算出部を含む。
【００２６】
本態様によれば、光源部、色分離部や光変調部を交換した場合であっても、交換後にプロジェクターの投射画像を測定することなく面内ムラ補正テーブルを更新できるので、測定の煩わしさを伴うことなく、色分離部の角度依存性に起因する面内ムラ補正を正確に行うことができるプロジェクターを提供できるようになる。
【００２７】
（９）本発明の他の態様に係るプロジェクターでは、前記面内ムラ補正データ算出部が、所与の色空間上の色彩値として算出された基準値に基づいて、前記面内ムラ補正データを算出する。
【００２８】
本態様によれば、プロジェクターの分光特性の違いに依存しない基準値を基準に、面内ムラ補正データを精度良く算出することができるようになる。
【００２９】
（１０）本発明の他の態様は、複数の色光を画像信号に基づいて変調して画像を投射するプロジェクターを調整するプロジェクター調整システムが、上記のいずれか記載のプロジェクターと、前記プロジェクターの投射画像を調整する画像調整装置とを含み、前記画像調整装置は、前記面内ムラ補正データを算出する面内ムラ補正データ算出部を含む。
【００３０】
本態様によれば、光源部、色分離部や光変調部を交換したとしても画像の測定を行うことなく光学部品の角度依存性に起因する画質の劣化の防止を図ることができるプロジェクター調整システムを提供できるようになる。
【００３１】
（１１）本発明の他の態様は、光源部と、前記光源部からの光を複数の色光に分離する色分離部と、各色光を画像信号に基づいて変調する光変調部とを含むプロジェクターを調整するプロジェクター調整方法が、前記光源部からの光の分光分布に対応した分光情報、前記色分離部の分光反射率の角度依存性に基づく角度依存性情報、及び前記光変調部の分光変調率に対応した分光情報を用いて面内ムラ補正データを算出する面内ムラ補正データ算出ステップと、前記面内ムラ補正データ算出ステップにおいて算出された前記面内ムラ補正データに基づいて、前記画像信号に対して面内ムラ補正処理を行う面内ムラ補正ステップとを含む。
【００３２】
本態様によれば、光源部、色分離部や光変調部を交換した場合であっても、交換後にプロジェクターの投射画像を測定することなく面内ムラ補正テーブルを更新できるので、測定の煩わしさを伴うことなく、色分離部の角度依存性に起因する面内ムラ補正を正確に行うことができるプロジェクター調整方法を提供できるようになる。
【図面の簡単な説明】
【００３３】
【図１】実施形態１におけるプロジェクター調整システムの構成例のブロック図。
【図２】図１の投射部の構成例のブロック図。
【図３】図２の投射部の詳細な構成例を示す図。
【図４】実施形態１におけるＲ成分用ダイクロイックミラーの透過率の角度依存性の説明図。
【図５】図５（Ａ）、図５（Ｂ）はダイクロイックミラーの透過率の角度依存性の説明図。
【図６】実施形態１における分光情報記憶部の構成例を示す図。
【図７】図１の面内ムラ補正部及び面内ムラ補正テーブル記憶部の構成例のブロック図。
【図８】プロジェクターの投射光の分光分布の一例を示す図。
【図９】図８の各階調をｘｙ色度図上の色度座標に変換した図。
【図１０】実施形態１における面内ムラ補正データ算出部の動作説明図。
【図１１】図２又は図３の光源部の分光分布の説明図。
【図１２】図３のＲ成分用ダイクロイックミラー及びＧ成分用ダイクロイックミラーの分光透過率の説明図。
【図１３】図３のＲ成分用液晶パネル、Ｇ成分用液晶パネル及びＢ成分用液晶パネルの入射光の分光分布の説明図。
【図１４】等色関数の説明図。
【図１５】実施形態１における画像調整装置のハードウェア構成例のブロック図。
【図１６】実施形態１における画像調整装置における面内ムラ補正データの算出処理例のフロー図。
【図１７】図１６のステップＳ１０の処理例のフロー図。
【図１８】図１６のステップＳ１２の処理例のフロー図。
【図１９】実施形態１におけるプロジェクター調整システムの処理例のフロー図。
【図２０】実施形態２における投射部の構成例のブロック図。
【図２１】実施形態３におけるプロジェクター調整システムの構成例のブロック図。
【発明を実施するための形態】
【００３４】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題の解決に必須の構成要件であるとは限らない。
【００３５】
以下の実施形態では、光学部品の分光透過率又は分光反射率を用いる例を説明するが、この分光透過率、分光反射率及びこれに類する概念の上位概念である分光変調率を用いるものに本発明を適用できる。
【００３６】
〔実施形態１〕
図１に、本発明に係る実施形態１におけるプロジェクター調整システムの構成例のブロック図を示す。
【００３７】
実施形態１におけるプロジェクター調整システム１０は、プロジェクターＰＪと、画像調整装置２０とを含む。
【００３８】
画像調整装置２０は、画像信号生成部２２と、面内ムラ補正データ算出部２６とを含む。画像調整装置２０は、プロジェクターＰＪと接続されており、プロジェクターＰＪを制御することができるようになっている。より具体的には、画像調整装置２０は、プロジェクターＰＪを構成する光学部品の分光情報に基づいて面内ムラ補正データを算出し、該面内ムラ補正データに基づいてプロジェクターＰＪの投射画像の画質を調整する制御を行う。プロジェクターＰＪは、この面内ムラ補正データに基づいて投射画像の輝度及び色度を調整できる。
【００３９】
画像調整装置２０において、画像信号生成部２２は、コンテンツ画像に対応した画像信号を生成し、該画像信号をプロジェクターＰＪに対して出力する。この画像信号生成部２２の機能は、画像調整装置２０の外部に設けられてもよい。
【００４０】
また、画像調整装置２０において、面内ムラ補正データ算出部２６は、プロジェクターＰＪから、このプロジェクターＰＪを構成する光学部品の分光情報を取得し、該分光情報に基づいて面内ムラ補正データを算出する。ここで、面内ムラ補正データ算出部２６は、投射画面の中央部を基準に面内ムラがないように面内ムラ補正を行うための面内ムラ補正データを算出する。画像調整装置２０は、この面内ムラ補正データを含むコマンドをプロジェクターＰＪに対して送信することができる。このような画像調整装置２０の機能は、例えばパーソナルコンピューター等を用いたソフトウェア処理や専用ハードウェア等によるハードウェア処理により実現される。
【００４１】
プロジェクターＰＪにおけるムラ補正においては、画面内の位置（座標）ごとに補正量が異なる上に、各画素位置において階調それぞれの値ごとにも補正量が異なる。そこで、以下では、プロジェクターＰＪが、サンプリングされた画素位置において複数の階調値それぞれに対応した補正量をテーブルとして保持し、当該画素位置における残りの階調値の補正量や残りの画素位置における階調値の補正量を補間処理により求めるものとする。具体的には、プロジェクターＰＪは、画面の中央と左右の３点のそれぞれの画素位置について、９階調分の離散的なテーブルを保持し、他の補正量を所与の補間処理により求めるものとする。
【００４２】
プロジェクターＰＪは、分光情報記憶部３０と、画像処理部（画像処理装置）４０と、投射部（画像表示部）１００とを含む。画像処理部４０は、画像信号入力部４２と、面内ムラ補正テーブル記憶部４８と、面内ムラ補正部５０とを含む。
【００４３】
分光情報記憶部３０には、投射部１００を構成する光学部品の分光情報が記憶されている。この分光情報は、面内ムラ補正データ算出部２６により読み取り可能に構成されている。画像調整装置２０の面内ムラ補正データ算出部２６は、分光情報記憶部３０に記憶される分光情報を取得し、該分光情報に基づいて面内ムラ補正データを算出する。このとき、面内ムラ補正データ算出部２６は、所与の基準値を基準に面内ムラ補正データを算出する。
【００４４】
画像処理部４０は、画像信号生成部２２からの画像信号に対して、面内ムラ補正データ算出部２６において算出された面内ムラ補正データに基づいて面内ムラ補正処理を行う。そして、画像処理部４０は、面内ムラ補正処理後の画像信号を投射部１００に対して出力する。
【００４５】
即ち、画像処理部４０において、画像信号入力部４２は、画像調整装置２０からの画像信号の受信インターフェース処理を行い、入力画像の画像信号として面内ムラ補正部５０に出力する。この受信インターフェース処理としては、物理層の信号レベルの変換処理やプログレッシブ変換処理を含むことができる。
【００４６】
一方、画像調整装置２０からのコマンドにより面内ムラ補正データを受け取った画像処理部４０は、面内ムラ補正テーブル記憶部４８において、この面内ムラ補正データを面内ムラ補正テーブルとして順次記憶していく。この面内ムラ補正テーブル記憶部４８に記憶された面内ムラ補正テーブルは、面内ムラ補正データ算出部２６によって面内ムラ補正データが算出される毎に、そのテーブル内容が更新されるようになっている。面内ムラ補正テーブルは、例えば、１画面を複数のブロックに分割したブロック毎に、画像を構成する色成分毎に増減すべき階調値に対応付けられた面内ムラ補正データにより構成される。
【００４７】
面内ムラ補正部５０は、画像信号入力部４２からの画像信号に対し、面内ムラ補正テーブル記憶部４８に記憶された面内ムラ補正テーブルを参照して補正処理を行い、面内ムラを補正した画像信号を生成し、該画像信号を投射部１００に対して出力する。
【００４８】
図１において、画像調整装置２０の機能が、プロジェクターＰＪに内蔵されていてもよい。この場合、プロジェクターＰＪには、画像信号生成部２２、面内ムラ補正データ算出部２６の少なくとも１つの機能が内蔵される。また、分光情報記憶部３０は、投射部１００又は画像処理部４０の外部に設けられているが、投射部１００又は画像処理部４０の内部に設けられていてもよい。
【００４９】
図２に、図１の投射部１００の構成例のブロック図を示す。なお、実施形態１では、投射部１００が図２の構成を有するものとして説明するが、本発明に係るプロジェクターにおける投射部の構成が図２の構成に限定されるものではない。
【００５０】
投射部１００は、光源部１１０と、色分離部１８０と、光変調部１９０１〜１９０Ｎ（Ｎは２以上の整数）と、合成部１９２と、投射レンズ１７０とを含む。
【００５１】
光源部１１０は、複数の色光を含む光を発生する。色分離部１８０は、光源部１１０からの光を複数の色光に分離する。色分離部１８０によって分離された各色光は、対応する光変調部に入射される。
【００５２】
光変調部は、色分離部１８０により分離される色光数分設けられており、色分離部１８０が光源部１１０からの光をＲＧＢの３つの色成分の色光に分離する場合、Ｎが３となる。例えば、光変調部１９０１は、色分離部１８０によって分離された色光のうちＲ成分の色光を、画像処理部４０において補正された画像信号に基づいて変調し、変調後の光を合成部１９２に出射する。また光変調部１９０２は、色分離部１８０によって分離された色光のうちＧ成分の色光を、画像処理部４０において補正された画像信号に基づいて変調し、変調後の光を合成部１９２に出射する。更に、光変調部１９０３は、色分離部１８０によって分離された色光のうちＢ成分の色光を、画像処理部４０において補正された画像信号に基づいて変調し、変調後の光を合成部１９２に出射する。
【００５３】
合成部１９２は、光変調部１９０１〜１９０Ｎのそれぞれからの変調後の光を合成し、合成した光を投射レンズ１７０に出射する。投射レンズ１７０は、合成部１９２によって複数の変調光が合成された光を用いて投射画像をスクリーンＳＣＲ上に拡大して結像させる。
【００５４】
図３に、図２の投射部１００の詳細な構成例を示す。図３において、図２と同一部分には同一符号を付し、適宜説明を省略する。図３では、実施形態１における投射部１００が、いわゆる３板式の液晶プロジェクターにより構成されるものとして説明するが、本発明に係るプロジェクターの投射部がいわゆる３板式の液晶プロジェクターにより構成されるものに限定されるものではない。即ち、以下では、１画素がＲ成分のサブ画素、Ｇ成分のサブ画素、及びＢ成分のサブ画素により構成されるものとして説明するが、１画素を構成するサブ画素数（色成分数）に限定されるものではない。
【００５５】
実施形態１における投射部１００は、光源部１１０、インテグレーターレンズ１１２、１１４、偏光変換素子１１６、重畳レンズ１１８、Ｒ成分用ダイクロイックミラー１２０Ｒ、Ｇ成分用ダイクロイックミラー１２０Ｇ、反射ミラー１２２、Ｒ成分用フィールドレンズ１２４Ｒ、Ｇ成分用フィールドレンズ１２４Ｇ、Ｒ成分用液晶パネル１３０Ｒ（第１の光変調部）、Ｇ成分用液晶パネル１３０Ｇ（第２の光変調部）、Ｂ成分用液晶パネル１３０Ｂ（第３の光変調部）、リレー光学系１４０、クロスダイクロイックプリズム１６０、投射レンズ１７０を含む。Ｒ成分用液晶パネル１３０Ｒ、Ｇ成分用液晶パネル１３０Ｇ及びＢ成分用液晶パネル１３０Ｂとして用いられる液晶パネルは、透過型の液晶表示装置である。リレー光学系１４０は、リレーレンズ１４２、１４４、１４６、反射ミラー１４８、１５０を含む。
【００５６】
光源部１１０は、例えば超高圧水銀ランプにより構成され、少なくともＲ成分の光、Ｇ成分の光、Ｂ成分の光を含む光を射出する。インテグレーターレンズ１１２は、光源部１１０からの光を複数の部分光に分割するための複数の小レンズを有する。インテグレーターレンズ１１４は、インテグレーターレンズ１１２の複数の小レンズに対応する複数の小レンズを有する。重畳レンズ１１８は、インテグレーターレンズ１１２の複数の小レンズから射出される部分光を液晶パネル上で重畳する。
【００５７】
また偏光変換素子１１６は、偏光ビームスプリッターアレイとλ／２板とを有し、光源部１１０からの光を略一種類の偏光光に変換する。偏光ビームスプリッターアレイは、インテグレーターレンズ１１２により分割された部分光をｐ偏光とｓ偏光に分離する偏光分離膜と、偏光分離膜からの光の向きを変える反射膜とを、交互に配列した構造を有する。偏光分離膜で分離された２種類の偏光光は、λ／２板によって偏光方向が揃えられる。この偏光変換素子１１６によって略一種類の偏光光に変換された光が、重畳レンズ１１８に照射される。
【００５８】
重畳レンズ１１８からの光は、Ｒ成分用ダイクロイックミラー１２０Ｒに入射される。Ｒ成分用ダイクロイックミラー１２０Ｒは、Ｒ成分の光を反射して、Ｇ成分及びＢ成分の光を透過させる機能を有する。Ｒ成分用ダイクロイックミラー１２０Ｒを透過した光は、Ｇ成分用ダイクロイックミラー１２０Ｇに照射され、Ｒ成分用ダイクロイックミラー１２０Ｒにより反射した光は反射ミラー１２２により反射されてＲ成分用フィールドレンズ１２４Ｒに導かれる。
【００５９】
Ｇ成分用ダイクロイックミラー１２０Ｇは、Ｇ成分の光を反射して、Ｂ成分の光を透過させる機能を有する。Ｇ成分用ダイクロイックミラー１２０Ｇを透過した光は、リレー光学系１４０に入射され、Ｇ成分用ダイクロイックミラー１２０Ｇにより反射した光はＧ成分用フィールドレンズ１２４Ｇに導かれる。
【００６０】
リレー光学系１４０では、Ｇ成分用ダイクロイックミラー１２０Ｇを透過したＢ成分の光の光路長と他のＲ成分及びＧ成分の光の光路長との違いをできるだけ小さくするために、リレーレンズ１４２、１４４、１４６を用いて光路長の違いを補正する。リレーレンズ１４２を透過した光は、反射ミラー１４８によりリレーレンズ１４４に導かれる。リレーレンズ１４４を透過した光は、反射ミラー１５０によりリレーレンズ１４６に導かれる。リレーレンズ１４６を透過した光は、Ｂ成分用液晶パネル１３０Ｂに照射される。
【００６１】
Ｒ成分用フィールドレンズ１２４Ｒに照射された光は、平行光に変換されてＲ成分用液晶パネル１３０Ｒに入射される。Ｒ成分用液晶パネル１３０Ｒは、光変調部（光変調素子）として機能し、Ｒ成分用画像信号に基づいて透過率（通過率、変調率）が変化するようになっている。従って、Ｒ成分用液晶パネル１３０Ｒに入射された光（第１の色成分の光）は、Ｒ成分用画像信号に基づいて変調され、変調後の光がクロスダイクロイックプリズム１６０に入射される。
【００６２】
Ｇ成分用フィールドレンズ１２４Ｇに照射された光は、平行光に変換されてＧ成分用液晶パネル１３０Ｇに入射される。Ｇ成分用液晶パネル１３０Ｇは、光変調部（光変調素子）として機能し、Ｇ成分用画像信号に基づいて透過率（通過率、変調率）が変化するようになっている。従って、Ｇ成分用液晶パネル１３０Ｇに入射された光（第２の色成分の光）は、Ｇ成分用画像信号に基づいて変調され、変調後の光がクロスダイクロイックプリズム１６０に入射される。
【００６３】
リレーレンズ１４２、１４４、１４６で平行光に変換された光が照射されるＢ成分用液晶パネル１３０Ｂは、光変調部（光変調素子）として機能し、Ｂ成分用画像信号に基づいて透過率（通過率、変調率）が変化するようになっている。従って、Ｂ成分用液晶パネル１３０Ｂに入射された光（第３の色成分の光）は、Ｂ成分用画像信号に基づいて変調され、変調後の光がクロスダイクロイックプリズム１６０に入射される。
【００６４】
Ｒ成分用液晶パネル１３０Ｒ、Ｇ成分用液晶パネル１３０Ｇ、Ｂ成分用液晶パネル１３０Ｂは、それぞれ同様の構成を有している。各液晶パネルは、電気光学物質である液晶を一対の透明なガラス基板に密閉封入したものであり、例えばポリシリコン薄膜トランジスターをスイッチング素子として、各サブ画素の画像信号に対応して各色光の通過率を変調する。
【００６５】
実施形態１では、１画素を構成する色成分毎に光変調部としての液晶パネルが設けられ、各液晶パネルの透過率がサブ画素に対応した画像信号により制御される。即ち、Ｒ成分のサブ画素用の画像信号が、Ｒ成分用液晶パネル１３０Ｒの透過率（通過率、変調率）の制御に用いられ、Ｇ成分のサブ画素用の画像信号が、Ｇ成分用液晶パネル１３０Ｇの透過率の制御に用いられ、Ｂ成分のサブ画素用の画像信号が、Ｂ成分用液晶パネル１３０Ｂの透過率の制御に用いられる。
【００６６】
クロスダイクロイックプリズム１６０は、Ｒ成分用液晶パネル１３０Ｒ、Ｇ成分用液晶パネル１３０Ｇ及びＢ成分用液晶パネル１３０Ｂからの入射光を合成した合成光を出射光として出力する機能を有する。投射レンズ１７０は、出力画像をスクリーンＳＣＲ上に拡大して結像させるレンズである。
【００６７】
図３において、Ｒ成分用ダイクロイックミラー１２０Ｒ及びＧ成分用ダイクロイックミラー１２０Ｇは、図２の色分離部１８０の機能を実現する。また、図３は、図２においてＮが「３」である例を表しており、Ｒ成分用液晶パネル１３０Ｒは図２の光変調部１９０１の機能を実現し、Ｇ成分用液晶パネル１３０Ｇは図２の光変調部１９０２の機能を実現し、Ｂ成分用液晶パネル１３０Ｂは図２の光変調部１９０３の機能を実現する。また、クロスダイクロイックプリズム１６０は、図２の合成部１９２の機能を実現する。
【００６８】
このように、投射部１００は、光源部１１０と、色分離部１８０と、光変調部１９０１〜１９０Ｎとを含むことができる。なお、投射部１００は、図２又は図３に示す構成をすべて含む必要はない。
【００６９】
ところで、Ｒ成分用ダイクロイックミラー１２０Ｒ及びＧ成分用ダイクロイックミラー１２０Ｇの透過率には角度依存性がある。具体的に、Ｒ成分用ダイクロイックミラー１２０Ｒ及びＧ成分用ダイクロイックミラー１２０Ｇの透過率は、入射光の入射角に応じて変化する。しかしながら、インテグレーターレンズ１１２、１１４、偏光変換素子１１６及び重畳レンズ１１８からなる光学系においては、光源部１１０からの光を完全な平行光に変換することが難しい。そのため、この透過率の角度依存性に起因して、後述するムラが発生する。
【００７０】
図４に、実施形態１におけるＲ成分用ダイクロイックミラー１２０Ｒの透過率の角度依存性の説明図を示す。図４では、Ｒ成分用ダイクロイックミラー１２０Ｒの透過率の角度依存性について説明するが、Ｇ成分用ダイクロイックミラー１２０Ｇの透過率の角度依存性についても同様である。
【００７１】
図４は、Ｒ成分用ダイクロイックミラー１２０Ｒを側面から見た図を模式的に表している。なお、Ｌは、インテグレーターレンズ１１２、１１４、偏光変換素子１１６及び重畳レンズ１１８からなる光学系の出射面における仮想的な光源を示している。ここで、Ｒ成分用ダイクロイックミラー１２０Ｒの入射面の中央部の位置（該入射面の中心位置を含む領域内の位置）をＰＣ、該入射面の右端部の位置（該入射面の右側領域内の端部又はその近傍の位置）をＰ１、該入射面の左端部の位置（該入射面の左側領域内の端部又はその近傍の位置）をＰ２とする。
【００７２】
Ｒ成分用ダイクロイックミラー１２０Ｒの入射面に垂直な方向（入射面の法線方向）を基準にすると、位置ＰＣにおける光源Ｌからの入射角θ２は、位置Ｐ１における光源Ｌからの入射角θ１より小さい。また、入射角θ２は、位置Ｐ２における光源Ｌからの入射角θ３より大きい。即ち、図４では、Ｒ成分用ダイクロイックミラー１２０Ｒの入射面において、光源Ｌからの光の入射角について、θ３＜θ２＜θ１の関係にある。この関係は、Ｒ成分用ダイクロイックミラー１２０Ｒと光源Ｌとの位置関係に依存するが、いずれにしても、Ｒ成分用ダイクロイックミラー１２０Ｒは、光源Ｌ又は光源部１１０からの光の入射面内の複数の位置において入射角が異なって配置される。Ｒ成分用ダイクロイックミラー１２０Ｒは、光の入射角に応じて分光透過率が異なる性質を有しているため、入射面内の複数の位置において分光透過率を異ならせて複数の色光に分離することになる。
【００７３】
図５（Ａ）、図５（Ｂ）に、ダイクロイックミラーの透過率の角度依存性の説明図を示す。図５（Ａ）は、Ｒ成分用ダイクロイックミラー１２０Ｒの透過率の角度依存性の説明図の一例を表す。図５（Ｂ）は、Ｇ成分用ダイクロイックミラー１２０Ｇの透過率の角度依存性の説明図の一例を表す。図５（Ａ）、図５（Ｂ）では、横軸に光の波長、縦軸に透過率を示す。
【００７４】
図５（Ａ）に示すように、Ｒ成分用ダイクロイックミラー１２０Ｒでは、入射面の法線方向を基準とした入射角が大きいほど、透過波長領域と反射波長領域との境界が短波長側に移動する。従って、図４に示すように配置されたＲ成分用ダイクロイックミラー１２０Ｒの入射面の各位置において、透過又は反射する光の波長が異なる。即ち、Ｒ成分用液晶パネル１３０Ｒの入射面内においてムラが発生する。
【００７５】
同様に、図５（Ｂ）に示すように、Ｇ成分用ダイクロイックミラー１２０Ｇでは、入射面の法線方向を基準とした入射角が大きいほど、透過波長領域と反射波長領域との境界が短波長側に移動する。従って、図４と同様に配置されたＧ成分用ダイクロイックミラー１２０Ｇの入射面の各位置において、透過又は反射する光の波長が異なる。即ち、Ｇ成分用液晶パネル１３０Ｇの入射面内においてムラが発生する。また、このようなＧ成分用ダイクロイックミラー１２０Ｇを透過した光についても、Ｂ成分用液晶パネル１３０Ｂの入射面内においてムラが発生する。
【００７６】
そこで、実施形態１では、分光情報記憶部３０に、色分離部の角度依存性情報を記憶させ、面内ムラ補正データ算出部２６が、該角度依存性情報を用いて面内ムラ補正データを算出する。
【００７７】
図６に、実施形態１における分光情報記憶部３０の構成例を示す。図６において、図１と同一部分には同一符号を付し、適宜説明を省略する。
【００７８】
分光情報記憶部３０は、光源情報記憶部２１０と、色分離情報記憶部３１０と、光変調情報記憶部４１０とを含む。光源情報記憶部２１０は、光源部１１０からの光の分光分布に対応した分光情報を記憶する。色分離情報記憶部３１０は、色分離部１８０の分光透過率に対応した分光情報を記憶する。光変調情報記憶部４１０は、色成分毎の光変調部の分光透過率に対応した分光情報を記憶する。
【００７９】
より具体的には、色分離情報記憶部３１０は、中央部分光情報記憶部３２０と、角度依存性情報記憶部３３０とを含む。中央部分光情報記憶部３２０は、色分離部１８０（Ｒ成分用ダイクロイックミラー１２０Ｒ、Ｇ成分用ダイクロイックミラー１２０Ｇ）の入射面の中央部における分光透過率に対応した分光情報を記憶する。角度依存性情報記憶部３３０は、色分離部１８０（Ｒ成分用ダイクロイックミラー１２０Ｒ、Ｇ成分用ダイクロイックミラー１２０Ｇ）の入射面における入射角に対応した分光透過率に応じた角度依存性情報を記憶する。この角度依存性情報としては、例えば入射面の中央部における分光透過率を基準とし、入射角に応じて補正すべき量に対応した情報を採用できる。そして、面内ムラ補正データ算出部２６は、中央部分光情報記憶部３２０に記憶された分光情報に基づいて算出された色を基準に、光源部１１０からの光の分光分布に対応した分光情報、色分離部１８０の分光反射率の角度依存性に基づく角度依存性情報、及び光変調部の分光透過率に対応した分光情報を用いて面内ムラ補正データを算出する。
【００８０】
なお、実施形態１では、角度依存性情報として、色分離部１８０の入射面の右端部（又は投射画面の右端部に対応した位置）における分光透過率に対応した分光情報と、該入射面の左端部（又は投射画面の左端部に対応した位置）における分光透過率に対応した分光情報とを有するものとする。この場合、角度依存性情報は、色分離部１８０の入射面内の複数の位置における分光透過率に対応した分光情報となる。こうすることでも、入射面の入射角に応じた面内ムラの補正処理が可能となる。
【００８１】
より具体的には、実施形態１では、角度依存性情報記憶部３３０は、右端部分光情報記憶部３３２と、左端部分光情報記憶部３３４とを有する。右端部分光情報記憶部３３２は、色分離部１８０の入射面の右端部（又は投射画面の右端部に対応した位置）における分光透過率に対応した分光情報を記憶する。左端部分光情報記憶部３３２は、色分離部１８０の入射面の左端部（又は投射画面の左端部に対応した位置）における分光透過率に対応した分光情報を記憶する。なお、実施形態１では、色分離部１８０の入射面又は投射画面の左右方向（水平方向）の両端部における分光情報を記憶しているが、本発明はこれに限定されるものではない。
【００８２】
ところで、投射画像の面内ムラは、色分離部１８０を構成するＲ成分用ダイクロイックミラー１２０Ｒ及びＧ成分用ダイクロイックミラー１２０Ｇの配置以外にも、光変調部として機能するＲ成分用液晶パネル１３０Ｒ、Ｇ成分用液晶パネル１３０Ｇ及びＢ成分用液晶パネル１３０Ｂの特性ばらつきやその他の要因に起因して発生する。そのため、面内ムラ補正テーブル記憶部４８には、少なくとも２種類の面内ムラ補正テーブルを記憶しておき、色分離部１８０の角度依存性を補正する面内ムラ補正テーブルのみを更新するようにし、面内ムラ補正部５０は、更新後の面内ムラ補正テーブルを含む複数種類の面内ムラ補正テーブルを統合して、統合後の面内ムラ補正データに基づいて面内ムラ補正処理を行うようにする。こうすることで、色分離部１８０を交換した場合であっても、面内ムラ補正データ算出部２６は、交換後の色分離部１８０の角度依存性に起因する面内ムラ補正のみを正確に補正できるようになる。
【００８３】
図７に、図１の面内ムラ補正部５０及び面内ムラ補正テーブル記憶部４８の構成例のブロック図を示す。図７において、図１と同一部分には同一符号を付し、適宜説明を省略する。
【００８４】
面内ムラ補正テーブル記憶部４８は、第１の面内ムラ補正テーブル記憶部４８１と、第２の面内ムラ補正テーブル記憶部４８２とを含む。第１の面内ムラ補正テーブル記憶部４８１は、面内ムラ補正データ算出部２６により色分離部１８０の角度依存性に基づいて算出された第１の面内ムラ補正データを第１の面内ムラ補正テーブルとして記憶する。第２の面内ムラ補正テーブル記憶部４８２は、色分離部１８０の角度依存性以外の要因に起因した面内ムラを補正するために予め算出された第２の面内ムラ補正データを第２の面内ムラ補正テーブルとして記憶する。
【００８５】
面内ムラ補正部５０は、加算部５２と、面内ムラ補正処理部５４とを含む。加算部５２は、第１の面内ムラ補正テーブル記憶部４８１から読み出された更新後の第１の面内ムラ補正データと第２の面内ムラ補正テーブル記憶部４８２から読み出された第２の面内ムラ補正データとを加算（統合）し、加算結果を面内ムラ補正処理部５４に出力する。面内ムラ補正処理部５４は、画像信号入力部４２からの画像信号に対して、加算部５２の加算結果に基づいて面内ムラ補正処理を行う。面内ムラ補正処理部５４によって行われた面内ムラ補正処理後の画像信号は、投射部１００に出力される。
【００８６】
このように面内ムラ補正テーブル記憶部４８に複数の面内ムラ補正テーブル記憶部を設け、そのうち１つの面内ムラ補正テーブル記憶部に記憶される面内ムラ補正テーブルを面内ムラ補正データ算出部２６により算出される面内ムラ補正データにより更新している。更に、面内ムラ補正部５０の加算部５２において、複数の面内ムラ補正テーブル記憶部に記憶される面内ムラ補正テーブルを統合して面内ムラ補正処理を行うようにしている。これにより、面内ムラ補正データ算出部２６により算出される面内ムラ補正データにより面内ムラ補正テーブルの内容を更新したとしても、色分離部１８０の角度依存性に起因した面内ムラのみならず、他の要因に起因した面内ムラも確実に補正できるようになる。
【００８７】
このような面内ムラ補正データは、色分離部１８０の中央部における分光透過率により得られる色を基準に生成される。この色分離部１８０の中央部における分光透過率により得られる色は、プロジェクターＰＪを構成する光学部品の分光情報に基づいて算出される。
【００８８】
一般的に、プロジェクターＰＪの投射光の分光分布は、各色成分について、階調が異なると分光分布の形状も異なってしまう。この分光分布の形状の変化は、色の変化を意味する。
【００８９】
図８に、プロジェクターＰＪの投射光の分光分布の一例を示す。図８は、横軸に投射光の波長を示し、縦軸に投射光のエネルギーを示し、ＲＧＢの色成分毎に、階調値の最大値と最小値とを含む９階調のそれぞれについての分光分布を表している。この９階調についての補正量（又は補正量に対応した情報）が、画素位置における階調方向のテーブルとして保持され、入力画像の画像信号に対応した画素値が、この９階調のいずれかの間の値であるとき、このテーブルに保持された値を補間して補正量が求められる。
図９に、図８の各階調をｘｙ色度図上の色度座標に変換した図を示す。図９では、横軸にｘ、縦軸にｙを表している。
【００９０】
図８では、短波長側からＢ成分、Ｇ成分、Ｒ成分の投射光のエネルギーが示されている。そして、図８は、色成分毎に、階調値を「２５５」、「２２４」、「１９２」、「１６０」、「１２８」、「９６」、「６４」、「３２」、「０」に変化させたときのエネルギーの変化を表す。各色成分においても、階調値が大きいほど、エネルギーが大きくなる。
【００９１】
ところが、図８に示すように、例えば階調値「２５５」の約半分である階調値「１２８」の分光分布の形状は、階調値「２５５」の分光分布と比較してピークが失われたりして形状が異なってくる。従って、図９に示すように、ｘｙ色度図上の色度座標が階調値毎に変化してしまい、色が変化していることがわかる。
【００９２】
そのため、色分離部１８０の角度依存性に起因した面内ムラ補正テーブルに従って面内ムラ補正が可能であったとしても、投射部１００を構成する光学部品（特に、光源部１１０）を交換してしまうと、交換後の光学部品の分光特性に合わせて面内ムラ補正を行う必要がある。そこで、光学部品の交換の度に投射画像を測定し、その測定結果を面内ムラ補正テーブルに反映させる必要があり、これは、手間がかかるばかりか、プロジェクターＰＪの測定システムが必要になる。
【００９３】
そこで、実施形態１では、投射部１００を構成する光学部品を交換する度に、面内ムラ補正データ算出部２６が、分光情報記憶部３０に記憶される分光情報を取得し、この分光情報を用いて面内ムラ補正データを算出し、この面内ムラ補正データにより面内ムラ補正テーブルを更新する。
【００９４】
図１０に、実施形態１における面内ムラ補正データ算出部２６の動作説明図を示す。
図１１に、図２又は図３の光源部１１０の分光分布の説明図を示す。図１１は、横軸に光源部１１０からの光の波長、縦軸に光のエネルギーを表す。
図１２に、図３のＲ成分用ダイクロイックミラー１２０Ｒ及びＧ成分用ダイクロイックミラー１２０Ｇの分光透過率の説明図を示す。図１２は、横軸に入射光の波長、縦軸に各ダイクロイックミラーの透過率を表す。
図１３に、図３のＲ成分用液晶パネル１３０Ｒ、Ｇ成分用液晶パネル１３０Ｇ及びＢ成分用液晶パネル１３０Ｂの入射光の分光分布の説明図を示す。図１３は、横軸に各色成分の入射光の波長、縦軸に各色成分の色光のエネルギーを表す。
【００９５】
プロジェクターＰＪの投射光の色は、光源部１１０の分光分布、色分離部１８０の分光透過率、光変調部の分光透過率によって決まる。そこで、面内ムラ補正データ算出部２６は、まず、図１０に示すように、光源部１１０からの光の分光分布に対応した分光情報、色分離部としてのダイクロイックミラーの分光透過率に対応した分光情報、及び光変調部としての液晶パネルの分光透過率に対応した分光情報を乗算し、その乗算結果に等色関数を掛け合わせることにより、ＣＩＥ（Commission Internationale de l'Eclairage）表色系の色彩値を出力する。ここで、色分離部の分光透過率は、色分離部の入射面の中央部における分光透過率である。
【００９６】
より具体的には、面内ムラ補正データ算出部２６は、上記の分光情報を用いてＲＧＢの色成分毎に、プロジェクターＰＪの出射光の分光分布を算出する。分光情報記憶部３０には、各分光情報が、光の波長に対応したエネルギー又は透過率（反射率）が記憶されており、光の波長毎に分光情報により重み付けして足し合わせる処理によって、上記の分光分布が求められる。
【００９７】
即ち、面内ムラ補正データ算出部２６は、Ｒ成分の出射光の分光分布について、図１１に示すような光源部１１０からの光の分光分布に対応した分光情報、図１２に示すようなＲ成分用ダイクロイックミラー１２０Ｒの入射面の中央部における分光反射率に対応した分光情報、及びＲ成分用液晶パネル１２０Ｒの分光透過率に対応した分光情報を乗算してＲ成分の光の分光分布を算出する。ここで、Ｒ成分用ダイクロイックミラー１２０Ｒの分光反射率は、図１２に示す分光透過率より求められる。
【００９８】
同様に、面内ムラ補正データ算出部２６は、Ｇ成分の出射光の分光分布について、図１１に示すような光源部１１０からの光の分光分布に対応した分光情報、図１２に示すようなＲ成分用ダイクロイックミラー１２０Ｒの入射面の中央部における分光透過率に対応した分光情報、Ｇ成分用のダイクロイックミラー１２０Ｇの入射面の中央部における分光反射率に対応した分光情報、及びＧ成分用液晶パネル１２０Ｇの分光透過率に対応した分光情報を乗算してＧ成分の光の分光分布を算出する。ここで、Ｇ成分用ダイクロイックミラー１２０Ｇの分光反射率は、図１２に示す分光透過率より求められる。
【００９９】
更に、面内ムラ補正データ算出部２６は、Ｂ成分の出射光の分光分布について、図１１に示すような光源部１１０からの光の分光分布に対応した分光情報、図１２に示すようなＲ成分用ダイクロイックミラー１２０Ｒの入射面の中央部における分光透過率に対応した分光情報、Ｇ成分用ダイクロイックミラー１２０Ｇの入射面の中央部における分光透過率に対応した分光情報、及びＢ成分用液晶パネル１２０Ｂの分光透過率に対応した分光情報を乗算してＢ成分の光の分光分布を算出する。
【０１００】
この結果、図１３に示すようなＲ成分用液晶パネル１３０Ｒ、Ｇ成分用液晶パネル１３０Ｇ及びＢ成分用液晶パネル１３０Ｂの各色成分の入射光の分光分布に対して、波長毎に、各色成分の液晶パネルの分光透過率により重み付けされて足し合わされた値が、出射光の分光分布として求められる。
【０１０１】
その後、面内ムラ補正データ算出部２６は、各色成分の出射光の分光分布に等色関数を掛け合わせることにより、ＣＩＥ（Commission Internationale de l'Eclairage）表色系の色彩値を出力する。
【０１０２】
図１４に、等色関数の説明図を示す。図１４は、横軸に光の波長、縦軸に分光応答度を示し、人間の眼に対応する分光応答度を示す等色関数の一例を表す。
【０１０３】
面内ムラ補正データ算出部２６は、上記のように求められた各色成分の分光分布を、図１４に示す等色関数に従って重み付けを行って足し合わせることでＸＹＺ表色系の色彩値を出力する。そして、面内ムラ補正データ算出部２６は、この色彩値を基準に、面内ムラがなくなるように、画像信号に対する面内ムラ補正データを算出する。
【０１０４】
これにより、光学部品を交換してプロジェクターＰＪの投射画像の色が変化してしまう場合であっても、測定システムにより投射画像を測定することなく面内ムラ補正テーブルを修正して更新できるので、低コスト、且つ、容易に画質の向上を図ることができるプロジェクターを提供できるようになる。
【０１０５】
このような面内ムラ補正データ算出部２６を含む画像調整装置２０の機能は、ハードウェア処理により実現されてもよいし、ソフトウェア処理により実現されてもよい。
【０１０６】
図１５に、実施形態１における画像調整装置２０のハードウェア構成例のブロック図を示す。
【０１０７】
画像調整装置２０は、中央演算処理装置（Central Processing Unit：ＣＰＵ）６０、インターフェース（InterFace：Ｉ／Ｆ）回路６２、読み出し専用メモリー（Read Only
Memory：ＲＯＭ）６４、ランダムアクセスメモリー（Random Access Memory：ＲＡＭ）６６、バス６８を有し、バス６８を介して、ＣＰＵ６０、Ｉ／Ｆ回路６２、ＲＯＭ６４、及びＲＡＭ６６は電気的に接続されている。
【０１０８】
例えばＲＯＭ６４には、画像調整装置２０の機能を実現するプログラムが記憶される。ＣＰＵ６０は、ＲＯＭ６４に記憶されたプログラムを読み出し、該プログラムに対応した処理を実行することで、画像調整装置２０の機能をソフトウェア処理で実現できる。なお、ＲＡＭ６６は、ＣＰＵ６０による処理の作業エリアとして用いられたり、Ｉ／Ｆ回路６２やＲＯＭ６４のバッファエリアとして用いられたりする。Ｉ／Ｆ回路６２は、プロジェクターＰＪに送られる画像信号や補正データを含むコマンドの入力インターフェース処理を行う。
【０１０９】
図１６に、実施形態１における画像調整装置２０における面内ムラ補正データの算出処理例のフロー図を示す。例えば、図１５のＲＯＭ６４に図１６に示す処理手順を指示するプログラムが記憶されており、ＣＰＵ６０がＲＯＭ６４から読み込んだプログラムに対応した処理を実行することで、画像調整装置２０の面内ムラ補正データ算出部２６の機能を図１６に示すようにソフトウェア処理により実現できるようになっている。
【０１１０】
画像調整装置２０は、まず、面内ムラ補正データ算出部２６において、色分離部１８０の中央部における分光情報等を用いて基準値を算出する（ステップＳ１０）。このステップＳ１０では、面内ムラ補正データ算出部２６は、図１０に示すように、分光情報記憶部３０に記憶される各種の分光情報を用いて面内ムラ補正データを算出するが、色分離部１８０の分光情報については中央部分光情報記憶部３２０に記憶される色分離部１８０の中央部（Ｒ成分用ダイクロイックミラー１２０Ｒ及びＧ成分用ダイクロイックミラー１２０Ｇそれぞれの中央部）における分光情報を用いる。
【０１１１】
続いて、画像調整装置２０は、面内ムラ補正データ算出部２６において、角度依存性情報記憶部３３０に記憶される角度依存性情報を用いて、色分離部１８０の中央部と同じ色になるように面内ムラ補正データを算出し（ステップＳ１２）、一連の処理を終了する（エンド）。実施形態１では、ステップＳ１２では、面内ムラ補正データ算出部２６は、右端部分光情報記憶部３３２に記憶される色分離部１８０の右端部の分光情報と左端部分光情報記憶部３３４に記憶される色分離部１８０の左端部の分光情報とを用いて、ステップＳ１０における基準値に基づいて、投射画面の面内において色分離部１８０の中央部と同じ色になるように面内ムラ補正データを算出する。
【０１１２】
図１７に、図１６のステップＳ１０の処理例のフロー図を示す。例えば、図１５のＲＯＭ６４に図１７に示す処理手順を指示するプログラムが記憶されており、ＣＰＵ６０がＲＯＭ６４から読み込んだプログラムに対応した処理を実行することで、画像調整装置２０の面内ムラ補正データ算出部２６の機能を図１７に示すようにソフトウェア処理により実現できるようになっている。
【０１１３】
まず、面内ムラ補正データ算出部２６は、プロジェクターＰＪの分光情報記憶部３０に記憶される分光情報のうち、光源部１１０の分光分布に対応した分光情報を読み出す（ステップＳ２０）。続いて、面内ムラ補正データ算出部２６は、分光情報記憶部３０からＲ成分用ダイクロイックミラー１２０Ｒ及びＧ成分用ダイクロイックミラー１２０Ｇの入射面の中央部における分光透過率に対応した分光情報を読み出す（ステップＳ２２）。更に、面内ムラ補正データ算出部２６は、分光情報記憶部３０からＲ成分用液晶パネル１３０Ｒ、Ｇ成分用液晶パネル１３０Ｇ及びＢ成分用液晶パネル１３０Ｂの分光透過率に対応した分光情報を読み出す（ステップＳ２４）。
【０１１４】
そして、面内ムラ補正データ算出部２６は、９階調のそれぞれの階調値に対応した分光分布を算出し、ＸＹＺ表色系の色彩値を算出し（ステップＳ２６）、一連の処理を終了する（エンド）。ステップＳ２６では、ＲＧＢの各色成分の９階調のそれぞれについてＸＹＺ表色系の色彩値が基準値として算出される。
【０１１５】
図１８に、図１６のステップＳ１２の処理例のフロー図を示す。例えば、図１５のＲＯＭ６４に図１８に示す処理手順を指示するプログラムが記憶されており、ＣＰＵ６０がＲＯＭ６４から読み込んだプログラムに対応した処理を実行することで、画像調整装置２０の面内ムラ補正データ算出部２６の機能を図１８に示すようにソフトウェア処理により実現できるようになっている。
【０１１６】
まず、面内ムラ補正データ算出部２６は、プロジェクターＰＪの分光情報記憶部３０に記憶される分光情報のうち、光源部１１０の分光分布に対応した分光情報と、Ｒ成分用ダイクロイックミラー１２０Ｒ及びＧ成分用ダイクロイックミラー１２０Ｇの入射面の右端部における分光透過率に対応した分光情報と、Ｒ成分用液晶パネル１３０Ｒ、Ｇ成分用液晶パネル１３０Ｇ及びＢ成分用液晶パネル１３０Ｂの分光透過率に対応した分光情報とを読み出す（ステップＳ３０）。
【０１１７】
そして、面内ムラ補正データ算出部２６は、例えば全階調のうちサンプリングされた階調の階調値に対応した分光分布を図１０に従って算出し、ＸＹＺ表色系の色彩値を求める（ステップＳ３２）。
【０１１８】
次に、面内ムラ補正データ算出部２６は、図１７のステップＳ１０で求められた基準値とステップＳ３２で求められた色彩値とが一致するか否かを判別する（ステップＳ３４）。なお、ステップＳ３４では、基準値とステップＳ３２で求められた色彩値との差が所与の閾値以下であるとき、或いはこの差が最小となったときに両者が一致したと判断するようにしてもよい。
【０１１９】
ステップＳ３４において、両者が一致していない（又は両者の差が所与の閾値より大きい）と判別されたとき（ステップＳ３４：Ｎ）、面内ムラ補正データ算出部２６は、ステップＳ３２で用いた階調のうち１つの色成分を微小変化させて（ステップＳ３６）、ステップＳ３２に戻り、ステップＳ３６で微小変化させた階調に対応するＸＹＺ表色系の色彩値を求める。
【０１２０】
ステップＳ３４において、両者が一致する（又は両者の差が所与の閾値以下、差が最小）と判別されたとき（ステップＳ３４：Ｙ）、面内ムラ補正データ算出部２６は、プロジェクターＰＪの分光情報記憶部３０に記憶される分光情報のうち、光源部１１０の分光分布に対応した分光情報と、Ｒ成分用ダイクロイックミラー１２０Ｒ及びＧ成分用ダイクロイックミラー１２０Ｇの入射面の左端部における分光透過率に対応した分光情報と、Ｒ成分用液晶パネル１３０Ｒ、Ｇ成分用液晶パネル１３０Ｇ及びＢ成分用液晶パネル１３０Ｂの分光透過率に対応した分光情報とを読み出す（ステップＳ３８）。
【０１２１】
そして、面内ムラ補正データ算出部２６は、例えば全階調のうちサンプリングされた階調の階調値に対応した分光分布を図１０に従って算出し、ＸＹＺ表色系の色彩値を求める（ステップＳ４０）。
【０１２２】
次に、面内ムラ補正データ算出部２６は、図１７のステップＳ１０で求められた基準値とステップＳ４０で求められた色彩値とが一致するか否かを判別する（ステップＳ４２）。なお、ステップＳ４２では、基準値とステップＳ４０で求められた色彩値との差が所与の閾値以下であるとき、又はこの差が最小のときに両者が一致したと判断するようにしてもよい。
【０１２３】
ステップＳ４２において、両者が一致していない（又は両者の差が所与の閾値より大きい）と判別されたとき（ステップＳ４２：Ｎ）、面内ムラ補正データ算出部２６は、ステップＳ４０で用いた階調のうち１つの色成分を微小変化させて（ステップＳ４４）、ステップＳ４０に戻り、ステップＳ４４で微小変化させた階調に対応するＸＹＺ表色系の色彩値を求める。
【０１２４】
ステップＳ４２において、両者が一致する（又は両者の差が所与の閾値以下、差が最小）と判別されたとき（ステップＳ４２：Ｙ）、面内ムラ補正データ算出部２６は、画面中央と同じ色になるために増減すべき階調値に対応した面内ムラ補正データを生成し（ステップＳ４６）、一連の処理を終了する（エンド）。
【０１２５】
こうして、面内の右端部及び左端部において、サンプリングされた階調のそれぞれについて面内ムラ補正データが算出されると、コマンドとしてプロジェクターＰＪに送信する。プロジェクターＰＪでは、画像処理部４０の面内ムラ補正テーブル記憶部４８に記憶される面内ムラ補正テーブルが、上記のように算出された面内ムラ補正データにより更新される。
【０１２６】
このように、実施形態１では、投射画像を測定することなく、投射部１００を構成する光学部品の分光情報を用いて、面内ムラ補正テーブルの面内ムラ補正データが算出される。このような面内ムラ補正テーブルの更新は、投射部１００を構成する光学部品の少なくとも１つが交換される毎に行われることが望ましい。このとき、ＸＹＺ表色系の色彩値に変換した後に面内ムラ補正データを算出するようにしたので、プロジェクターＰＪの分光特性の違いに依存しない基準値を基準に、面内ムラ補正データを精度良く算出することができるようになる。
【０１２７】
次に、実施形態１におけるプロジェクター調整システムの処理例について説明する。
【０１２８】
図１９に、実施形態１におけるプロジェクター調整システム１０の処理例のフロー図を示す。
【０１２９】
プロジェクター調整システム１０を構成するプロジェクターＰＪにおいて、光学部品の１つが交換されたものとする。このとき、画像調整装置２０は、面内ムラ補正データ算出ステップとして、上記のように、プロジェクターＰＪの分光情報記憶部３０に記憶される分光情報を取得し、面内ムラ補正データを算出する（ステップＳ５０）。このステップＳ５０の処理は、図１８において説明した処理であり、面内の中央部におけるＸＹＺ表色系の色彩値を基準として面内ムラ補正データであり、第１の面内ムラ補正データとして第１の面内ムラ補正テーブル記憶部４８１に格納されていく。
【０１３０】
そして、画像調整装置２０は、面内ムラ補正テーブル更新ステップとして、コマンドにより、算出した面内ムラ補正データをプロジェクターＰＪに送信し、プロジェクターＰＪ内の面内ムラ補正テーブル記憶部４８に記憶される面内ムラ補正テーブルを、ステップＳ３０において算出された面内ムラ補正テーブルにより更新する（ステップＳ５２）。
【０１３１】
その後、プロジェクターＰＪは、画像調整装置２０からの画像信号の入力を待つ（ステップＳ５４）。プロジェクターＰＪは、画像調整装置２０から画像信号が入力されると、画像処理部４０において、面内ムラ補正ステップとして、面内ムラ補正テーブル記憶部４８に記憶された面内ムラ補正テーブルを参照して、更新後の第１の面内ムラ補正データと第２の面内ムラ補正データとを読み出し（ステップＳ５６）、更新後の第１の面内ムラ補正データと第２の面内ムラ補正データとを加算した面内ムラ補正データを用いて該画像信号を補正する（ステップＳ５８）。このステップＳ５８では、プロジェクターＰＪは、面内ムラ補正データを、画面内の画素位置に応じた公知の補間処理で補間して、補間処理後の補正データにより画像信号に対して面内ムラ補正処理を行う。
【０１３２】
続いて、プロジェクターＰＪは、画像信号の入力が継続するとき（ステップＳ６０：Ｎ）、ステップＳ５４に戻って処理を継続し、画像信号の入力が終了するとき（ステップＳ６０：Ｙ）、一連の処理を終了する（エンド）。
【０１３３】
以上説明したように、実施形態１によれば、プロジェクターＰＪを構成する光学部品を交換した場合であっても、光学部品を交換後にプロジェクターＰＪの投射画像を測定することなく面内ムラ補正テーブルを更新できるので、測定の煩わしさを伴うことなく、光学部品の角度依存性に起因する面内ムラ補正を正確に行うことができるようになる。
【０１３４】
〔実施形態２〕
実施形態１では、プロジェクターＰＪ内に分光情報記憶部３０が内蔵される例について説明したが、投射部１００を構成する光学部品の分光情報は、それぞれの光学部品自体が記憶しておくことが望ましい。この場合、図１の分光情報記憶部３０の機能が、各光学部品に内蔵された記憶部に分割される。
【０１３５】
図２０に、本発明に係る実施形態２における投射部１００の構成例のブロック図を示す。図２０において、図２又は図６と同一部分には同一符号を付し、適宜説明を省略する。
【０１３６】
実施形態２では、投射部１００は、光源装置２００と、色分離装置３００と、光変調装置４００１〜４００Ｎと、合成部１９２と、投射レンズ１７０とを含む。以下では、Ｎが３であるものとする。
【０１３７】
光源装置２００の光源部１１０は、光源部１１０は、複数の色光を含む光を発生する。色分離装置３００の色分離部１８０は、光源部１１０からの光を複数の色光に分離する。色分離部１８０によって分離された各色光は、対応する光変調部に入射される。
【０１３８】
実施形態２における光源装置２００は、光源部１１０と、光源部１１０からの光の分光分布に対応した分光情報を記憶する光源情報記憶部２１０とを含み、光源情報記憶部２１０に記憶される分光情報が、外部に読み出し可能に構成される。このような光源部１１０は、実施形態１と同様に、例えば超高圧水銀ランプにより構成される。光源情報記憶部２１０は、フラッシュＲＯＭ等の不揮発性メモリー素子により構成される。なお、光源部１１０が、光源情報記憶部２１０を含んで構成されていてもよい。
【０１３９】
そして、図２又は図３の光源部１１０に代えて、光源装置２００が、投射部１００に交換可能に設けられる。この場合、投射部１００は、光源装置２００の交換後においても、光源情報記憶部２１０が画像調整装置２０の面内ムラ補正データ算出部２６によってアクセスできるように構成されている。
【０１４０】
こうすることで、光源装置２００を交換した場合に、分光情報記憶部３０に記憶される分光情報を更新する必要がなくなり、交換後の光源部１１０に特有の分光情報を予め光源情報記憶部２１０に記憶させておくだけでよい。
【０１４１】
実施形態２における色分離装置３００は、色分離部１８０と、色分離部１８０の分光透過率に対応した分光情報を記憶する色分離情報記憶部３１０とを含み、色分離情報記憶部３１０に記憶される分光情報が、外部に読み出し可能に構成される。この色分離情報記憶部３１０は、中央部分光情報記憶部３２０と、角度依存性情報記憶部３３０とを含み、角度依存性情報記憶部３３０には、色分離部１８０の角度依存性に対応する分光情報が記憶される。このような色分離部１８０は、実施形態１と同様に、例えばＲ成分用ダイクロイックミラー１２０Ｒ、Ｇ成分用ダイクロイックミラー１２０Ｇにより構成される。色分離情報記憶部３１０は、フラッシュＲＯＭ等の不揮発性メモリー素子により構成される。なお、色分離部１８０が、色分離情報記憶部３１０を含んで構成されていてもよい。
【０１４２】
そして、図２の色分離部１８０又は図３のＲ成分用ダイクロイックミラー１２０ＲやＧ成分用ダイクロイックミラー１２０Ｇに代えて、色分離装置３００が、投射部１００に交換可能に設けられる。この場合、投射部１００は、色分離装置３００の交換後においても、色分離情報記憶部３１０が画像調整装置２０の面内ムラ補正データ算出部２６によってアクセスできるように構成されている。
【０１４３】
こうすることで、色分離装置３００を交換した場合に、分光情報記憶部３０に記憶される分光情報を更新する必要がなくなり、交換後の色分離部１８０に特有の分光情報を予め色分離情報記憶部３１０に記憶させておくだけでよい。
【０１４４】
実施形態２における光変調装置４００１は、光変調部１９０１と、光変調部１９０１の分光透過率に対応した分光情報を記憶する光変調情報記憶部４１０１とを含み、光変調情報記憶部４１０１に記憶される分光情報が、外部に読み出し可能に構成される。このような光変調部１９０１は、実施形態１と同様に、例えばＲ成分用液晶パネル１３０Ｒにより構成される。光変調情報記憶部４１０１は、フラッシュＲＯＭ等の不揮発性メモリー素子により構成される。なお、光変調部１９０１が、光変調情報記憶部４１０１を含んで構成されていてもよい。
【０１４５】
そして、図２の光変調部１９０１又は図３のＲ成分用液晶パネル１３０Ｒに代えて、光変調装置４００１が、投射部１００に交換可能に設けられる。この場合、投射部１００は、光変調装置４００１の交換後においても、光変調情報記憶部４１０１が画像調整装置２０の面内ムラ補正データ算出部２６によってアクセスできるように構成されている。
【０１４６】
同様に、図示しない光変調装置４００２は、光変調部１９０２と、光変調部１９０２の分光透過率に対応した分光情報を記憶する光変調情報記憶部４１０２とを含み、光変調情報記憶部４１０２に記憶される分光情報が、外部に読み出し可能に構成される。このような光変調部１９０２は、実施形態１と同様に、例えばＧ成分用液晶パネル１３０Ｇにより構成される。光変調情報記憶部４１０２は、フラッシュＲＯＭ等の不揮発性メモリー素子により構成される。そして、図２の光変調部１９０２又は図３のＧ成分用液晶パネル１３０Ｇに代えて、光変調装置４００２が、投射部１００に交換可能に設けられる。この場合、投射部１００は、光変調装置４００２の交換後においても、光変調情報記憶部４１０２が画像調整装置２０の面内ムラ補正データ算出部２６によってアクセスできるように構成されている。
【０１４７】
また、同様に、図示しない光変調装置４００３は、光変調部１９０３と、光変調部１９０３の分光透過率に対応した分光情報を記憶する光変調情報記憶部４１０３とを含み、光変調情報記憶部４１０３に記憶される分光情報が、外部に読み出し可能に構成される。このような光変調部１９０３は、実施形態１と同様に、例えばＢ成分用液晶パネル１３０Ｂにより構成される。光変調情報記憶部４１０３は、フラッシュＲＯＭ等の不揮発性メモリー素子により構成される。そして、図２の光変調部１９０３又は図３のＢ成分用液晶パネル１３０Ｂに代えて、光変調装置４００３が、投射部１００に交換可能に設けられる。この場合、投射部１００は、光変調装置４００３の交換後においても、光変調情報記憶部４１０３が画像調整装置２０の面内ムラ補正データ算出部２６によってアクセスできるように構成されている。
【０１４８】
こうすることで、光変調装置４００１〜４００３の少なくとも１つを交換した場合に、分光情報記憶部３０に記憶される分光情報を更新する必要がなくなり、交換後の光変調部１９０１〜１９０３に特有の分光情報を予め光変調情報記憶部に記憶させておくだけでよい。
【０１４９】
この場合、図６の光変調情報記憶部４１０は、光変調情報記憶部４１０１〜４１０３を含むことになる。
【０１５０】
図２０において、光変調装置４００１〜４００３のそれぞれは、色分離部１８０によって分離された色光のうち対応する色成分の色光を、面内ムラ補正部５０によって補正された画像信号に基づいて変調し、変調後の光を合成部１９２に出射する。合成部１９２は、光変調装置４００１〜４００３の光変調部１９０１〜１９０３のそれぞれからの変調後の光を合成し、合成した光を投射レンズ１７０に出射する。投射レンズ１７０は、合成部１９２によって複数の変調光が合成された光を用いて投射画像をスクリーンＳＣＲ上に拡大して結像させる。
【０１５１】
図２０に示す構成を有する投射部１００もまた、図３の構成を有することができる。また、画像調整装置２０の処理例やプロジェクター調整システム１０の処理例も実施形態１と同様であるため、詳細な説明を省略する。
【０１５２】
以上説明したように、実施形態２によれば、プロジェクターＰＪを構成する光学部品を交換した場合であっても、光学部品を交換後にプロジェクターＰＪの投射画像を測定することなく面内ムラ補正テーブルを更新できるので、測定の煩わしさを伴うことなく、光学部品の角度依存性に起因する面内ムラ補正を正確に行うことができるようになる。更に、実施形態２によれば、投射部１００を構成する各光学部品を交換した場合に、分光情報記憶部３０に記憶される分光情報を更新する必要がなくなり、交換後の光学部品に特有の分光情報を予め該光学部品に内蔵された記憶部に記憶させておくだけでよい。
【０１５３】
〔実施形態３〕
実施形態１又は実施形態２では、面内ムラ補正データ算出部２６の機能を画像調整装置２０が有していたが、面内ムラ補正データ算出部２６の機能をプロジェクターＰＪが有していてもよい。
【０１５４】
図２１に、本発明に係る実施形態３におけるプロジェクター調整システムの構成例のブロック図を示す。図２１において、図１と同一部分には同一符号を付し、適宜説明を省略する。なお、図２１では、実施形態２と同様に投射部１００を構成する光学部品毎に分光情報を記憶するものとして説明するが、実施形態１と同様に、分光情報記憶部３０に投射部１００を構成する光学部品の分光情報をすべて記憶させるようにしてもよい。
【０１５５】
実施形態３におけるプロジェクター調整システム５００は、プロジェクターＰＪ１と、画像生成装置５１０とを含む。画像生成装置５１０は、画像信号生成部２２を含む。プロジェクターＰＪ１は、画像処理部（画像処理装置）５２０と、投射部（画像表示部）１００とを含む。画像処理部５２０は、画像信号入力部４２と、面内ムラ補正テーブル記憶部４８と、面内ムラ補正部５６と、面内ムラ補正データ算出部２６とを含む。
【０１５６】
画像生成装置５１０において、画像信号生成部２２は、コンテンツ画像に対応した画像信号を生成し、該画像信号をプロジェクターＰＪ１に対して出力する。プロジェクターＰＪ１では、画像生成装置５１０からの画像信号に基づいて画像を投射する。この際、プロジェクターＰＪ１では、投射部１００を構成する光学部品の分光情報に基づいて面内ムラ補正データを算出し、該面内ムラ補正データに基づいてプロジェクターＰＪ１の投射画像の輝度及び色度を調整する制御を行う。なお、画像生成装置５１０の機能は、例えばパーソナルコンピューター等を用いたソフトウェア処理や専用ハードウェア等によるハードウェア処理により実現される。
【０１５７】
より具体的には、プロジェクターＰＪ１においても、投射部１００を構成する光学部品毎に分光情報が記憶されると共に該分光情報が読み出し可能に構成されており、プロジェクターＰＪ１において、実施形態１と同様に面内ムラ補正データ算出部２６によって面内ムラ補正データが算出される。そして、プロジェクターＰＪ１において、算出された面内ムラ補正データを面内ムラ補正テーブル記憶部４８において順次面内ムラ補正テーブルとして記憶していく。この面内ムラ補正テーブル記憶部４８に記憶された面内ムラ補正テーブルは、面内ムラ補正データ算出部２６によって面内ムラ補正データが算出される毎に、そのテーブル内容が更新されるようになっている。面内ムラ補正部５０は、画像信号入力部４２からの画像信号に対し、面内ムラ補正テーブル記憶部４８に記憶された面内ムラ補正テーブルを参照して補正処理を行い、面内ムラを補正した画像信号を生成し、該画像信号を投射部１００に対して出力する。
【０１５８】
以上、本発明に係るプロジェクター、プロジェクター調整システム及びプロジェクター調整方法を上記の各実施形態に基づいて説明したが、本発明は上記の各実施形態に限定されるものではなく、その要旨を逸脱しない範囲において種々の態様において実施することが可能であり、例えば次のような変形も可能である。
【０１５９】
（１）上記の各実施形態では、プロジェクターの外部に画像調整装置２０又は画像生成装置５１０が設けられていたが、本発明はこれに限定されるものではない。例えば、プロジェクターが画像調整装置２０又は画像生成装置５１０の機能を内蔵していてもよい。
【０１６０】
（２）上記の各実施形態では、面内ムラ補正データの基準値を、ＸＹＺ表色系の色彩値であるものとして説明したが、本発明はこれに限定されるものではなく、他の表色系の値であってもよい。
【０１６１】
（３）上記の各実施形態では、色分離部の角度依存性について、面内の中央部以外に面内の右端部と左端部の２カ所の分光情報を有するものとして説明したが、本発明はこれに限定されるものではない。例えば、中央部を除き、１カ所又は３カ所以上の分光情報を持って、それぞれの位置について面内ムラ補正データを算出するようにしてもよい。
【０１６２】
（４）上記の各実施形態では、色分離部の分光透過率に対応した分光情報を用いる例を説明したが、本発明はこれに限定されるものではない。例えば、色分離部の分光透過率に代えて、色分離部の分光反射率であってもよい。
【０１６３】
（５）上記の各実施形態では、光変調部の分光透過率を用いる例を説明したが、本発明はこれに限定されるものではない。例えば、光変調部の分光透過率に代えて、光変調部の分光反射率であってもよい。
【０１６４】
（６）上記の各実施形態では、プロジェクターを調整する例を説明したが、本発明はこれに限定されるものではない。例えば、液晶表示装置、プラズマディスプレイ装置、有機ＥＬディスプレイ装置等の画像を調整する各種の画像調整システムにも適用できる。
【０１６５】
（７）上記の各実施形態では、光変調部として液晶パネルを用いるものとして説明したが、本発明はこれに限定されるものではない。光変調部として、例えばＤＬＰ（Digital Light Processing)（登録商標）、ＬＣＯＳ（Liquid Crystal On Silicon）等を採用してもよい。
【０１６６】
（８）上記の各実施形態において、本発明を、プロジェクター、プロジェクター調整システム及びプロジェクター調整方法等として説明したが、本発明はこれに限定されるものではない。例えば、本発明を実現するためのプロジェクターの調整方法の処理手順が記述されたプログラムや、該プログラムが記録された記録媒体であってもよい。
【符号の説明】
【０１６７】
１０，５００…プロジェクター調整システム、  ２０…画像調整装置、
２２…画像信号生成部、  ２６…面内ムラ補正データ算出部、  ３０…分光情報記憶部、
４０，５２０…画像処理部、  ４２…画像信号入力部、
４８…面内ムラ補正テーブル記憶部、  ４８１…第１の面内ムラ補正テーブル記憶部、
４８２…第２の面内ムラ補正テーブル記憶部、  ５０…面内ムラ補正部、
５２…加算部、  ５４…面内ムラ補正処理部、  ６０…ＣＰＵ、  ６２…Ｉ／Ｆ回路、
６４…ＲＯＭ、  ６６…ＲＡＭ、  ６８…バス、  １００…投射部、  １１０…光源部、
１１２，１１４…インテグレーターレンズ、  １１６…偏光変換素子、
１１８…重畳レンズ、  １２０Ｒ…Ｒ成分用ダイクロイックミラー、
１２０Ｇ…Ｇ成分用ダイクロイックミラー、  １２２，１４８，１５０…反射ミラー、
１２４Ｒ…Ｒ成分用フィールドレンズ、  １２４Ｇ…Ｇ成分用フィールドレンズ、
１３０Ｒ…Ｒ成分用液晶パネル、  １３０Ｇ…Ｇ成分用液晶パネル、
１３０Ｂ…Ｂ成分用液晶パネル、  １４０…リレー光学系、
１４２，１４４，１４６…リレーレンズ、  １６０…クロスダイクロイックプリズム、
１７０…投射レンズ、  １８０…色分離部、  １９０１〜１９０Ｎ…光変調部、
１９２…合成部、  ２００…光源装置、  ２１０…光源情報記憶部、
３００…色分離装置、  ３１０…色分離情報記憶部、  ３２０…中央部分光情報記憶部、
３３０…角度依存性情報記憶部、  ３３２…右端部分光情報記憶部、
３３４…左端部分光情報記憶部、  ４００１〜４００Ｎ…光変調装置、
４１０，４１０１〜４１０Ｎ…光変調情報記憶部、  ５１０…画像生成装置、
ＰＪ，ＰＪ１…プロジェクター、  ＳＣＲ…スクリーン
【図１】
2010230801.tif 000003
【図２】
2010230801.tif 000004
【図３】
2010230801.tif 000005
【図４】
2010230801.tif 000006
【図５】
2010230801.tif 000007
【図６】
2010230801.tif 000008
【図７】
2010230801.tif 000009
【図８】
2010230801.tif 000010
【図９】
2010230801.tif 000011
【図１０】
2010230801.tif 000012
【図１１】
2010230801.tif 000013
【図１２】
2010230801.tif 000014
【図１３】
2010230801.tif 000015
【図１４】
2010230801.tif 000016
【図１５】
2010230801.tif 000017
【図１６】
2010230801.tif 000018
【図１７】
2010230801.tif 000019
【図１８】
2010230801.tif 000020
【図１９】
2010230801.tif 000021
【図２０】
2010230801.tif 000022
【図２１】
2010230801.tif 000023